(57)【要約】      （修正有）【課題】電力を使用せずに、地震の一定の震度以上で解錠し、民家が倒壊しないような小さい揺れの地震や振動では解錠しない自己解錠装置の提供。【解決手段】地震の振動により錘４０の揺れが一定の振幅以上に達した場合に、引外しレバー２８が振幅調整ネジ４３を押動するように、振幅調整ネジを調整することで、一定の揺れ以上で振幅調整ネジ４３が押動され、ロックレバー４１が摺動桿１９の係止を解除する方向に回動し、駆動バネ２０によりワイヤー１１を牽引して、解錠することができる。【選択図】図５
2011001788.tif 000002
【特許請求の範囲】
【請求項１】
建築物本体内部への出入り口を遮断して設けられたスライドにより、両側に引き分けまたは片側に開閉される引き戸式扉を建築物が一定の大きさ以上に揺れる地震または強風時において前記扉の鍵を、電気を一切使用せずに全て機械的に自己解錠を行う装置として、地震によって錘４０が揺れると吊下げ軸３９に冠着された円盤３５が傾き該円盤の外周が押上げ板３３を上方に押し上げるため該押上げ板中央に固着された押上げ棒３２が引外し可動板２９を回動させ、更に該引外し可動板に固着した引外しレバー２８によりロックレバー４１に縲着した振幅調整ネジ４３を押動するため、該ロックレバーは回動支軸４１ｂを中心に回動するため摺働桿１９の係止を解除すると同時にバネが開放されて該摺働桿の上端部に固着された駆動桿１５に繋結されたワイヤー１１で動力を伝達して反鍵側扉、即ち受側扉２または戸当たり柱３に装着した可動板５８をスライドさせることで鍵フック５の係合を解除する自己解錠装置。
【請求項２】
左右両方向へのスライドにより両側に引き分け開閉される引き戸式扉に本発明の解錠装置を装着する場合は、上下に移動する連結金具１２に開口した嵌込口４７を設け、受側扉２を閉めると連結板５２が開口部に噛み込むため、感震駆動部９の動力をワイヤー１１によって伝達し、可動板５８をスライドさせることで鍵フック５の係合を解除する自己解錠装置。
【請求項３】
両側に引き分け開閉される引き戸式扉の建築物建造時に、扉に装着された錠前を交換することなく、または該錠前を加工や改良することなく、前記の建築物が一定の振動以上に達したときに鍵フック５が係止される受け側扉２または戸当たり柱３の係止部分を開放することで解錠する自己解錠装置。
【発明の詳細な説明】
【技術分野】
【０００１】
本発明は、地震の一定の震度以上で引分け戸の反錠前側扉ならびに戸当り柱の鍵係合部を開放することで自動解錠する装置である。
【背景技術】
【０００２】
民家が倒壊するような大きい地震に際して防災機器や救命救急機器を保管する倉庫等が多く設置されている。それらの扉に装着されている鍵は合い鍵を必要とするため、合い鍵がなければ保管されている機材を倉庫から速やかに取り出すことができない。
【０００３】
また、他の建築物に於いても揺れの大きい地震に際して施錠された扉の中から外へ、或いは外から中に人々が移動する場合、解錠の手間が非常に困難である。
本発明は、これら一連の地震対策が必要との考えから簡単に、且つ確実に解錠できる装置が必要であった。
【０００４】
尚、地震時の停電や電気系統の故障を考慮して電力は一切使用しない条件とする必要があった。
【先行技術文献】
【特許文献】
【０００５】
【特許文献１】特開平１１−１０７５９６号公報
【特許文献２】登録実用新案第３１４７７８５号公報
【特許文献３】登録実用新案第３１４５３１１号公報
【特許文献４】登録実用新案第３１４４５０９号公報
【特許文献５】登録実用新案第３１４８８１０号公報
【発明の概要】
【発明が解決しようとする課題】
【０００６】
地震によって、扉の鍵を解錠する方法を解決しようとする問題点は、現在の技術では地震によって作動する感震器を設置し、その出力接点から電気錠を作動させる方法しかなかった。従って、既設の鍵を取り替えてバッテリーや感震器および電源工事が必要であった。
【課題を解決するための手段】
【０００７】
本発明は、扉に取り付けられた既存の鍵を取り替えることなく、鍵フックの反錠前側扉すなわち受側扉２の鍵係合部１８を鍵フック５から開放することを最も主要な特徴とする。
【発明の効果】
【０００８】
本発明は、既存の鍵を取り替える必要がないので、合い鍵を作り変えることもなく既存の鍵で常に施解錠が可能である。
【０００９】
また、本発明は鍵の係合部が簡単につき、既建築後においても容易に取り付けができることである。
更に、本発明は電気を一切使わないので停電や電気系統の故障の心配がない。
【図面の簡単な説明】
【００１０】
【図１】引分け戸の外面図
【図２】引分け戸の内面図
【図３】片開き引戸の内面図
【図４】鍵係合部詳細図
【図５】感震駆動部の内部正面図
【図６】感震駆動部の内部側面図
【図７】駆動用摺動桿の正面図と側面図
【図８】ロックレバーの詳細図
【図９】下部摺動桿ガイドの詳細図
【図１０】施錠時のロック機構詳細図
【図１１】解錠時のロック機構詳細図
【図１２】連結部正面図
【図１３】連結部側面図
【図１４】連結部詳細斜視図
【図１５】可動板引上げ機構詳細斜視図
【図１６】連結引上げ部正面図
【図１７】連結引上げ部側面図
【図１８】連結引上げ部連結詳細図
【図１９】連結棒案内板詳細斜視図
【図２０】可動板ガイド詳細斜視図
【図２１】可動板と可動板ガイド組合せ正面図
【図２２】可動板と可動板ガイド組合せ側面図
【図２３】可動板正面図
【図２４】可動板側面図
【図２５】可動板平面図
【発明を実施するための形態】
【００１１】
以下、本発明の実施の形態を図１〜図２４に基づいて説明する。
【００１２】
本発明においては、図１および図２のごとく一般市販製品の引分け戸の受側扉２の戸当り面２ａならびに図３に示す片開き引戸の戸当り柱３の鍵フック穴６につづけて欠切部７を切り取り、長方形の加工穴８を形成する。
【００１３】
メーカー出荷時の製品は、前記欠切部７が未施工の状態であるので鍵側扉１を閉じて受側扉２の戸当り面２ａに鍵側戸当り面１ａが密着した状態で、既存の鍵穴４に合鍵を挿入して回転することにより鍵フック５が戸当り面２ａの内側に回動し、フックが係止するため施錠状態となる。
【００１４】
また、図３の片開き引戸においても戸当り柱と鍵側扉の関係において、前記引分け戸同様の施錠方法である。
【００１５】
本発明の目的を達成するために欠切部７を施すことにより、鍵フック５は係止部分がなくなり扉は開放可能となる。
【００１６】
本発明は、前記欠切部７の戸当り面２ａ内側に上下スライド可能な可動板５８を可動板ガイド５９で挟着する。
【００１７】
従って、上下に移動する可動板５８が欠切部７の位置にあるときは鍵フック５が係止され、該可動板が該欠切部から外れた場合は解錠となる。
【００１８】
また、図３の片開き引戸の戸当り柱３においても前記同様、欠切部７の内側に可動板５８を可動板ガイド５９で挟着するものとする。
【００１９】
一方、図４は地震感知部と駆動部が一体になった組立図である。錘４０が地震の振動により揺れると、該錘に固着された吊下げ軸３９が図１０のごとく傾斜するため、該吊下げ軸に冠着された円盤３５も該円盤に着接した半球突起３６が吊下げ板３８に設けた釣止穴３８ａ（図９・図１０）に内接するため、押上げ板３３に接する該円盤の上部外周端と吊下げ板３８に接する対角線上の下部外周端によって梃子の原理で、押上げ板３３を押し上げる。
【００２０】
押上げ板３３の中央に固着された押上げ棒３２も該押上げ板と同時に、押上げ棒ガイド３４に沿って上に直動する。
【００２１】
前記押上げ棒ガイドは、ガイド固定金具３１によってベース２１に固定されているため、押上げ棒３２は直動し、引外し可動板２９を更に押し上げる。
【００２２】
引外し可動板２９は、可動板中心軸３０に端部を軸支されているため押上げ棒３２の押圧により該可動板中心軸を中心に回動する。
【００２３】
引外し可動板２９の上部には、Ｌ形の引外しレバー２８が固着されており、引外し可動板２９の回動と同時に該引外しレバーの上端部が、図７の振幅調整ネジ４３を押動する。
【００２４】
ロックレバー４１は、回動支軸４１ｂに軸着されており前記引外しレバーの押動により支点穴４１ａを中心に摺動桿１９の係止を解除する方向に回動する。
【００２５】
摺動桿１９の下端には、図６の凹状欠切部を設けて係止ピン２５にベアリング２７を嵌挿する。
【００２６】
前記係止ピンは、片方が細い段付ピンで摺動桿１９の下端穴に前記ベアリングを嵌挿して該下端穴に挿着し、抜止めリング２６によって該係止ピンの脱落を防止する。
【００２７】
摺動桿１９は、中央部分において外径を違えた段を設け、その段にバネ止めワッシャー２３を嵌め、その上に圧縮バネを挿入する。
【００２８】
また、摺動桿１９は上下２ヶ所に設けた摺動桿ガイドによって挿着され、上部修動桿ガイド１７は駆動バネ２０および緩衝バネ１６のバネ受台を兼ねるものとし、ベース２１に固定する。
【００２９】
下部の摺動桿ガイド２２は、図８のごとく摺動桿の案内と摺動桿案内穴の一辺に切欠溝を設け、ロックレバー４１が摺動桿１９に挿着されたベアリング２７に正確に咬合するガイドの役目を兼行するものである。
【００３０】
摺動桿１９は、常にロックレバー４１によって駆動バネ２０を圧縮した状態でロックされており、地震の揺れによって錘４０が振れ、押上げ棒３２が引外し可動板２９を押し上げ、それに固着された引外しレバー２８が振幅調整ネジ４３を押動することによりロックレバー４１が回動するため摺動桿１９の係止が外れ、駆動バネ２０は圧縮から解放されるので摺動桿１９に固着された駆動桿１５に緊結したワイヤー１１を牽引し、可動板５８を移動することで本発明を解決する手段とする。
【００３１】
ワイヤー１１の動力を可動板５８に伝達する方法としては、フレキシブルな外装のワイヤーガイド１０に該ワイヤーを通し、該ワイヤーガイドの両端を建造物の柱や梁に固定することにより、該ワイヤーの動力を解錠最終目的の可動板５８に確実に伝達することが可能である。
【００３２】
しかし、引分け戸扉においては可動板５８が装着される受側扉２が扉開閉操作時に移動するため、フレキシブルな外装のワイヤーガイド１０であってもその動きに追従することは困難であり、また開閉頻度が激しい場合は、該ワイヤーガイドおよび前記ワイヤーに疲労劣化が生ずることになる。
【００３３】
従って、本発明の引分け戸扉においては、図１１〜図１７に示す連結金具１２および連結板５２を用いて扉を閉鎖したときのみ動力を伝達する方法とした。そのため、ワイヤーガイド１０の片端は、連結部４６の連結支持金具５１に固定し、伸縮を防止することでワイヤー１１をガイドするものとする。
【００３４】
また、片開き戸扉においては、可動板５８取付け部が建造物に固定された戸当り柱であるため連結部を必要としない。
【００３５】
図１１・図１２・図１３の連結金具１２は、コの字形で上下２辺を貫くガイド穴１２ａを設けその穴に連結支持金具５１に吊着した連結金具ガイド棒４８を貫通し、上下にスライドするものとする。該連結金具ガイド棒はガイド棒連結片４９によって橋架補強する。
【００３６】
前記連結金具は、ワイヤー１１によって吊着され該ワイヤーの復動により追動するものである。
【００３７】
このコの字形の連結金具１２の下辺には、図１３のごとく嵌込口４７が開口しており、受側扉２を閉めると連結板５２が開口部に噛み込むため、ワイヤー１１によって該連結金具が引き上げられると、該連結板に固着された連結棒５３および連結桿５５が案内板５４にガイドされて上方に移動する。
【００３８】
連結桿５５は、連結ヘッド６０に螺嵌されており、該連結ヘッドには可動板５８と連結する引上げ棒５７が挿着される。
【００３９】
前記連結ヘッドに挿着された前記引上げ棒は、前記可動板が正確に欠切部７の位置に合致するように該連結ヘッドに引上げ棒５７を貫通させて、該可動板の位置を決めて引上げ棒固定ネジ６１で固定する。
【００４０】
案内板５４を扉に取付ける方法としては、工作機械等のない建築現場での取り付け等を考慮し、できる限り簡単に加工できる方法として連結板５２を直動するに必要な連結桿５５をガイドする穴加工困難な長方形のガイド穴５６を扉折返板２ｂには開けずに、穿孔済部品として案内板５４を取り付けるものとする。
従って、扉の該折返板には該案内板の取付ネジ穴だけを穿孔するものとする。
【００４１】
引き上げ棒５７に吊着された可動板５８は、可動板ガイド５９によって上下にスライド可能な程度に扉折返板２ｂと案内板５４の間に僅かな隙間をもたせて鋏着を行う。
【００４２】
前記可動板ガイドは、扉折返板２ｂに可動板ガイド取付穴６３の位置にネジ穴を開けてネジで固定する。
【００４３】
片開き戸扉の前記可動板ガイドの取り付けは、戸当り柱３の柱折曲げ板３ａに引分け戸同様取り付けるものとする。
【実施例】
【００４４】
先ず、引分け戸に実施する場合は図１の受側戸当り面２ａに欠切部７を加工する。
【００４５】
続いて、図１４・図１５・図１６の連結ヘッド６０および引上げ棒５７および案内板５４と連結桿５５ならびに連結棒５３と連結板５２を組み立てて受側扉２に取り付ける。
【００４６】
続いて図２・図１１・図１２・図１３の連結部を取り付ける。
【００４７】
更に、図２の感震駆動部９を建物内部の柱または壁に取り付ける。
【００４８】
最後に、図２の連結部４６と感震駆動部９をワイヤー１１およびワイヤーガイド１０で接続する。
【００４９】
本発明を、図３の片開き戸に実施する場合の鍵係合部１８の取り付け場所は、戸当り柱３とする。
【００５０】
また、片開き戸には連結部は使用しないものとする。
【産業上の利用可能性】
【００５１】
本発明は、一般市販製品の物置や倉庫等、防災用機器等の保管庫として使用中のものや、新規に設置するものに装着可能であるので、利用価値は非常に高い。
【００５２】
また、本発明の自己解錠装置は、建築物の非常口や非常階段の扉に取り付ければ、地震や竜巻等で建築物が激しく揺れて倒壊する恐れのある場合は、自己解錠により避難が容易である。
【符号の説明】
【００５３】
１鍵側扉
１ａ鍵側戸当り面
２受側扉
２ａ戸当り面
２ｂ扉折返板
３戸当り柱
３ａ柱折曲げ板
４鍵穴
５鍵フック
６鍵フック穴
７欠切部
８加工穴
９感震駆動部
１０ワイヤーガイド
１１ワイヤー
１２連結金具
１２ａガイド穴
１３引外し板
１４リセット環
１５駆動桿
１６緩衝バネ
１６ａ緩衝バネ受
１７上部摺動桿ガイド
１８鍵係合部
１９摺動桿
２０駆動バネ
２１ベース
２２下部摺動桿ガイド
２３バネ止めワッシャー
２４回転防止溝
２５係止ピン
２６抜止めリング
２７ベアリング
２８引外しレバー
２９引外し可動板
３０可動板中心軸
３１ガイド固定金具
３２押上げ棒
３３押上げ板
３４押上げ棒ガイド
３５円盤
３６半球突起
３７円錐バネ
３８吊下げ板
３８ａ釣止穴
３９吊下げ軸
４０錘
４１ロックレバー
４１ａ支点穴
４１ｂ回動支軸
４２ロックバネ
４３振幅調整ネジ
４４調整ネジ取付片
４５係合摺働面
４６連結部
４７嵌込口
４８連結金具ガイド棒
４９ガイド棒連結片
５０たるみ防止バネ
５１連結支持金具
５２連結板
５３連結棒
５４案内板
５５連結桿
５６ガイド穴
５７引上げ棒
５８可動板
５９可動板ガイド
６０連結ヘッド
６１引上げ棒固定ネジ
６２開口部
６３可動板ガイド取付穴
６４案内棒穴
６５摺動溝
６６ワイヤー止穴
【図１】
2011001788.tif 000003
【図２】
2011001788.tif 000004
【図３】
2011001788.tif 000005
【図４】
2011001788.tif 000006
【図５】
2011001788.tif 000007
【図６】
2011001788.tif 000008
【図７】
2011001788.tif 000009
【図８】
2011001788.tif 000010
【図９】
2011001788.tif 000011
【図１０】
2011001788.tif 000012
【図１１】
2011001788.tif 000013
【図１２】
2011001788.tif 000014
【図１３】
2011001788.tif 000015
【図１４】
2011001788.tif 000016
【図１５】
2011001788.tif 000017
【図１６】
2011001788.tif 000018
【図１７】
2011001788.tif 000019
【図１８】
2011001788.tif 000020
【図１９】
2011001788.tif 000021
【図２０】
2011001788.tif 000022
【図２１】
2011001788.tif 000023
【図２２】
2011001788.tif 000024
【図２３】
2011001788.tif 000025
【図２４】
2011001788.tif 000026
【図２５】
2011001788.tif 000027